(57)【要約】【課題】上吹き形室外機で、外気の吸い込み作用を改善し、送風ファンに近い熱交換器上部から送風ファンから遠い下部にかけての風速分布を均一にし、熱交換効率の低下や送風性能の低下を防ぐこと。【解決手段】風路内に熱交換器３を通過する風の風速分布を制御する流体素子１０を設けた構成としたものである。  これによって、熱交換器３を通過する風の風速分布を均一にすることができるので、熱交換器能力を無駄にすることなく、効率良く熱交換器の能力を発揮することができ、冷凍サイクルのＣＯＰの向上、さらには風速分布の不均一による異常音がなくなり、送風性能の向上をも図ることができる。【選択図】図１
2006189196.tif 000002
【特許請求の範囲】
【請求項１】
上吹き型空気調和機の室外ユニットであって、風回路内に、熱交換器を通過する風の風速分布を制御する流体素子を設けたことを特徴とする空気調和機の室外ユニット。
【請求項２】
室外ユニットはその上部にファンを設けた構成であって、前記ファンの上流側に流体素子を設けたことを特徴とする、請求項１記載の空気調和機の室外ユニット。
【請求項３】
室外ユニットは上下に分離した熱交換器を設け、前記上部の熱交換器を通過する風量を抑える流体素子を設けたことを特徴とする、請求項２記載の空気調和機の室外ユニット。
【請求項４】
流体素子は板状をなし、前記素子の一端は上部の熱交換器の風下側に近接し、前記素子の他端は、ファンの風上側に近接していることを特徴とする、請求項３記載の空気調和機の室外ユニット。
【請求項５】
室外ユニットの風回路内は流体素子で仕切られ、上側の風回路の空間の広さを空気調和機の能力の大小によって変化させることを特徴とする、請求項４記載の空気調和機の室外ユニット。
【発明の詳細な説明】
【技術分野】
【０００１】
本発明は上吹き型の空気調和機の室外ユニットに関するものである。
【背景技術】
【０００２】
従来、この種の空気調和機の室外ユニットでは必要な熱交換性能を保ち、設置スペースを小さくするため、送風装置を上部に配置し、筐体内に縦長の熱交換器を配置した構成となっている（例えば、特許文献１参照）。
【０００３】
図５は従来の空気調和機の室外ユニットを示すものである。図５に示すように、筐体１０１と、熱交換器１０２と、送風機１０３と、送風ファン１０４と、から構成されている。
【特許文献１】特開平１１−１１８１９９号公報
【発明の開示】
【発明が解決しようとする課題】
【０００４】
しかしながら、前記従来の構成では、縦長の熱交換器に対してその上部に送風ファンが位置しているため、前記熱交換器における前記送風ファンによる外気の吸い込み作用は、送風ファンに近い上部側が大きく、送風ファンから遠い下部側が小さくなり、風速分布が前記熱交換器の上部側に偏ることになる。この結果、熱交換器の性能を有効に利用することができず、熱交換効率の低下や、送風性能の低下を招くという課題を有していた。
【０００５】
また、騒音も高くなるという課題を有していた。
【０００６】
本発明は、前記従来の課題を解決するもので、熱交換器を通過する冷却風の風速分布を熱交換器全体で均一にし、熱交換効率の向上、送風性能の向上を図り、騒音も増大することのない空気調和器の室外ユニットを提供することを目的とする。
【課題を解決するための手段】
【０００７】
前記従来の課題を解決するために、本発明の空気調和機の室外ユニットは風路内に熱交換器を通過する風の風速分布を制御する流体素子を設けた構成としたものである。
【０００８】
これによって、熱交換器を通過する風の風速分布を均一にすることができる。
【発明の効果】
【０００９】
本発明の空気調和機の室外ユニットは、風路内に熱交換器を通過する風の風速分布を制御する流体素子を設けたことにより、熱交換器を通過する風の風速分布を熱交換器の上下で均一にすることができ、熱交換効率の向上、送風性能の向上を図ることができる。
【発明を実施するための最良の形態】
【００１０】
第１の発明は風路内に熱交換器を通過する風の風速分布を制御する流体素子を設けたことにより、熱交換器を通過する風の風速分布を熱交換器の上下で均一にすることができ、熱交換効率の向上、送風性能の向上を図ることができる。
【００１１】
第２の発明は、室外ユニットの上部にファンを設けた構成であって、特に、第１の発明の流体素子を送風ファンの上流側に設けたことにより、熱交換器を通過する風の風速分布を熱交換器の上下で均一にすることができ、熱交換効率の向上、送風性能の向上を図ることができる。
【００１２】
第３の発明は、室外ユニットは上下に分離した熱交換器を設けた構成であって、特に、第１の発明の流体素子を前記上部の熱交換器を通過する風量を抑える様に設けたことにより、熱交換器を通過する風の風速分布を熱交換器の上下で均一にすることができ、熱交換効率の向上、送風性能の向上を図ることができる。
【００１３】
第４の発明は、特に、第３の発明の流体素子は板状をなし、前記素子の一端は上部の熱交換器の風下側に近接し、前記素子の他端は、ファンの風上側に近接していることにより熱交換器を通過する風の風速分布を熱交換器の上下で均一にすることができ、熱交換効率の向上、送風性能の向上を図ることができる。
【００１４】
第５の発明は、特に、第４の発明の流体素子を上側の風路の空間の広さを空気調和機の能力の大小によって変化させることにより熱交換効率の向上、送風性能の向上を図ることができる。
【００１５】
以下、本発明の実施の形態について図面を参照しながら説明する。なお、本実施の形態によって本発明が限定されるものではない。
【００１６】
（実施の形態１）
図１は、本発明の第１の実施の形態における空気調和機の室外ユニットの縦断面図、図２は、平面断面図を示す。
【００１７】
図１、図２において、筐体１の内部に圧縮機２、熱交換器３、ファンモータ４およびファン５とによって構成される冷凍サイクルを配し、前記筐体１内部に上下方向に配置され、前記圧縮機２が搭載される機械室側空間６（以下、機械室６）と前記熱交器３が搭載される送風空間７（以下、送風室７）を分離するように配置される仕切板８を有する前記筐体１において、前記筐体１の天面部に設置された前記ファン５によって、外気は、前記熱交換器３を通過し、前記筐体１内に導かれ、前記筐体１の天面部から筐体外に上方向に排出される、いわゆる空気調和機の上吹き型室外機において、送風機室６内には、前記ファン５の上流側に熱交換器を通過した後の風の風速を制御する流体素子１０が設けられている。
【００１８】
以上のように構成された空気調和機の室外ユニットについて、以下その動作、作用を説明する。
【００１９】
まず、機械室６側の圧縮機２等が冷凍サイクル運転を行う、一方送風室７ではファン５により外部の空気を熱交換器３を通過させ熱交換させた後、前記筐体１内に導かれ、送風室７内の流体素子１０により制御され筐体１の天面部から筐体外の上方向に排出される。
【００２０】
以上のように、本実施の形態においては風路内に熱交換器３を通過した風を送風負担に応じて制御する流体素子１０を備え、熱交換器３を通る風の内、ファン近くの熱交換器部分での送風能力を抑え、ファンから遠い熱交換器部分での送風能力積極的に増やすことができる。したがって熱交換器３全体を通る風の風速分布を均一にすることができる。
【００２１】
（実施の形態２）
図３は、本発明の第２の実施の形態における空気調和機の室外ユニットの縦断面図を示す。本実施の形態では、筐体１の内部に、上下に分離した熱交換器３の上部の熱交換器３ａ、前記熱交換器３の下部の熱交換器３ｂが設けられ、送風室７内には上部の熱交換器３ａを通過する風量を抑える流体素子１０が設けられている。
【００２２】
以上のように構成された空気調和機の室外ユニットについて、以下その動作、作用を説明する。
【００２３】
ファン５により外部の空気を熱交換器３を通過させ熱交換させた後、前記筐体１内に導かれ、送風室７内の流体素子１０により制御され筐体１の天面部から筐体外の上方向に排出される。
【００２４】
以上のように、本実施の形態においては風路内に上部の熱交換器３ａを通過する風量を抑える流体素子１０を備え、熱交換器３を通る風の内、ファン近くの上部の熱交換器３ａでの風量を抑え、その分、ファンから遠い下部の熱交換器３ｂでの風量を増やすことができる。したがって熱交換器３全体を通る風の風速分布を均一にすることができる。
【００２５】
（実施の形態３）
図４は、本発明の第３の実施の形態における空気調和機の室外ユニットの縦断面図を示す。本実施の形態では、筐体１の内部に、上下に分離した熱交換器３の上部の熱交換器３ａ、前記熱交換器３の下部の熱交換器３ｂが設けられ、送風室７内には、熱交換器３ａの風下側に近接し、他端は、ファン５の風上側に近接している流体素子１０が設けられている。
【００２６】
以上のように構成された空気調和機の室外ユニットについて、以下その動作、作用を説明する。
【００２７】
ファン５により外部の空気を熱交換器３を通過させ熱交換させた後、前記筐体１内に導かれ、送風室７内の流体素子により制御され筐体１の天面部から筐体外に上方向に排出される。
【００２８】
以上のように、本実施の形態においては風路内に熱交換器３を通過した風を送風負担に応じて制御する流体素子を備え、ファン近くの上部の熱交換器３ａを通過する風速を抑え、ファンから遠い下部の熱交換器３ｂを通過する風速の低下を防ぐことができる。したがって熱交換器３全体を通る風の風速分布を均一にすることができる。
【００２９】
なお、本実施の形態において、風路内の流体素子１０で仕切られる上側の風路の空間１１の広さを空気調和機の能力の大小により変化させるように設けることにより、より多くの空気調和機に使用することができる。
【産業上の利用可能性】
【００３０】
以上のように、本発明にかかる空気調和機の室外ユニットは、熱交換器の風速分布を効果的に均一化させ熱交換率の向上、送風性能の向上が可能となるので、冷凍機等の室外ユニットの用途にも適用できる。
【図面の簡単な説明】
【００３１】
【図１】本発明の実施の形態１における室外ユニットの縦断面図
【図２】本発明の実施の形態１における室外ユニットの平面断面図
【図３】本発明の実施の形態２における室外ユニットの縦断面図
【図４】本発明の実施の形態３における室外ユニットの縦断面図
【図５】従来の室外ユニットの縦断面図
【符号の説明】
【００３２】
３  熱交換器
５  ファン
１０  流体素子
１１  上側の風路の空間
【図１】
2006189196.tif 000003
【図２】
2006189196.tif 000004
【図３】
2006189196.tif 000005
【図４】
2006189196.tif 000006
【図５】
2006189196.tif 000007